(57)【要約】【課題】  遊技機の内部構造の配置スペースや遊技盤を大きく形成するために、薄型化された遊技機用施錠装置及びそれを用いた遊技機を提供する。【解決手段】  外枠に係合する外枠用フック部５２を有する第１スライド部材５０と、前面扉に係合する前面扉用フック部６２を有する第２スライド部材６０と、それら第１及び第２スライド部材５０，６０をスライド移動可能に支持するスライド部材支持部７１と、第１及び第２スライド部材５０，６０をスライド移動させるためのシリンダ錠８０が固定配置されたシリンダ錠取付部７２とを有して、内枠の所定場所に取り付けられるベースプレート７０とを備え、第１及び第２スライド部材５０，６０が、スライド部材支持部７１の支持面７１ａに対して並設されてなる。【選択図】  図３
2009131514.tif 000002
【特許請求の範囲】
【請求項１】
遊技機の外形をなす枠状の外枠に対して開閉可能な内枠の所定場所に取り付けられ、その外枠に係合して該内枠を施錠する一方、その内枠に対して開閉可能に設けられた前面扉を係合保持して施錠する遊技機用施錠装置であって、
前記外枠に係合する外枠用フック部を有する第１スライド部材と、
前記前面扉に係合する前面扉用フック部を有する第２スライド部材と、
それら第１及び第２スライド部材をスライド移動可能に支持するスライド部材支持部と、前記第１及び第２スライド部材をスライド移動させるためのシリンダ錠が固定配置されたシリンダ錠取付部とを有するベースプレートと、を備え、
前記第１及び第２スライド部材が、前記スライド部材支持部の支持面に対して並設されてなることを特徴とする遊技機用施錠装置。
【請求項２】
前記第１スライド部材と第２スライド部材とは、短冊状の板形態をなし、前記スライド部材支持部の支持面に並設状態で、相手側と対向するそれぞれの長辺側部とは反対側の長辺側部に、前記第１スライド部には前記外枠用フック部が、また、前記第２スライド部材には前面扉用フック部が面内方向で突出する形で形成されている請求項１に記載の遊技機用施錠装置。
【請求項３】
前記第１スライド部材の外枠用フック部が係合する方向に該第１スライド部材をスライド移動させる第１付勢ばねと、前記第２スライド部材の前面扉用フック部が係合する方向に該第２スライド部材をスライド移動させる第２付勢ばねとが、それぞれ一端が各スライド部材に、他端が前記スライド部材支持部の支持面に固定されて設けられている請求項１又は２に記載の遊技機用施錠装置。
【請求項４】
前記ベースプレートには、前記スライド部材支持部の側縁から、前記第１及び第２スライド部材の厚みよりも高く立ち上がる側壁部が形成されている請求項１ないし３のいずれか１項に記載の遊技機用施錠装置。
【請求項５】
請求項１ないし４のいずれか１項に記載の遊技機用施錠装置が、前記第１及び第２スライド部材が前記内枠の厚み方向に並設するように前記内枠の開放側端部に取り付けられていることを特徴とする遊技機。
【発明の詳細な説明】
【技術分野】
【０００１】
本発明は、遊技機用施錠装置及びそれを備えた遊技機に関する。
【背景技術】
【０００２】
近年のパチンコ機（遊技機）において、遊技盤の前面側（遊技者側）に形成される遊技領域では、抽選結果の表示やリーチアクション等の種々の演出表示を行うための可変表示装置（例えば液晶表示装置）の面積を拡大したり、それらの演出表示を効果的に行うためのセンター役物の大型化が図られている。しかしながら、遊技領域では、その遊技領域を流下する遊技球の流路を十分に確保する必要があるためこれら可変表示装置やセンター役物の大きさに一定の制約がある。そして、可変表示装置やセンター役物を大きくするとパチンコ機の内部構造（例えば遊技盤の裏面側）も大きく、また複雑となるので、従来にも増してそれらの配置スペースの確保が求められている。
【０００３】
ところで、パチンコ機は、その外形をなす枠状の外枠と、その外枠に開閉可能に支持されるとともに、遊技盤や制御基板等が設けられた内枠と、その内枠の前面側に開閉可能に支持されるとともに、遊技盤を視認するためのガラス板を備えた前面扉とを含み構成されている。そして、内枠には、外枠に係合して内枠を施錠し、かつ前面扉を係合保持して施錠する施錠装置（遊技機用施錠装置）が取り付けられている（特許文献１参照）。
【０００４】
【特許文献１】特開２００６−１３００７０号公報
【０００５】
特許文献１の施錠装置によれば、支持体に対して外枠鉤、ガラス扉鉤を同一平面上の支持面で支持するようにして、それら外枠鉤、ガラス扉鉤、及び第１作動体などの各種部材をその支持体に対して同一方向から組み付けるようにしたものである。これにより、支持体に対する外枠鉤やガラス扉鉤等の各種部材の組み付け、すなわち施錠装置の組み立ての容易化を図っている。
【発明の開示】
【発明が解決しようとする課題】
【０００６】
しかしながら、施錠装置の組み立ての容易化もさることながら、特許文献１を含み通常の施錠装置では、前枠（内枠）の背面の一側に当接して固定する支持体を横断面Ｌ字状（例えば固定板及び側板）をなすように折り曲げ形成している。したがって、前枠（内枠）の背面には、施錠装置を固定配置する配置スペース（具体的には、支持体の固定板の幅に対応する配置スペース）を設けることとなり、内部構造の配置スペース並びに遊技盤を圧迫（制限）しているという問題がある。
【０００７】
本発明は、上記実情を鑑みてなされたものであり、遊技機の内部構造の配置スペースや遊技盤を大きく形成するために、薄型化された遊技機用施錠装置及びそれを用いた遊技機を提供することにある。
【課題を解決するための手段】
【０００８】
上記課題を解決するために、本発明の遊技機用施錠装置は、
遊技機の外形をなす枠状の外枠に対して開閉可能な内枠の所定場所に取り付けられ、その外枠に係合して該内枠を施錠する一方、その内枠に対して開閉可能に設けられた前面扉を係合保持して施錠する遊技機用施錠装置であって、
外枠に係合する外枠用フック部を有する第１スライド部材と、
前面扉に係合する前面扉用フック部を有する第２スライド部材と、
それら第１及び第２スライド部材をスライド移動可能に支持するスライド部材支持部と、第１及び第２スライド部材をスライド移動させるためのシリンダ錠が固定配置されたシリンダ錠取付部とを有して、内枠の所定場所に取り付けられるベースプレートと、を備え、
第１及び第２スライド部材が、スライド部材支持部の支持面に対して並設されてなることを特徴とする。
【０００９】
上記本発明によれば、内枠の所定場所（例えば内枠の開放側端部）に取り付けられるベースプレートのスライド部材支持部における支持面に第１スライド部材及び第２スライド部材が並設されている。これによれば、第１スライド部材と第２スライド部材とがともに同一の支持面（例えば同一平面上）に設けられるので、互いに重なり合うこともなく、全体として薄型化を図ることができる。ひいては、施錠装置が薄型化されるので、パチンコ機の内部構造の配置スペースや遊技盤を大きく形成することができるようになる。
【００１０】
また、第１スライド部材と第２スライド部材とが、それぞれ独立してスライド部材支持部の支持面に支持されるので、構造が簡単となり、特別な伝達機構や構造を設けることなく第１及び第２スライド部材それぞれをシリンダ錠を介してスライド移動させることが可能となる。なお、第１及び第２スライド部材がスライド部材支持部の同一の支持面に取り付けられるので、これらの組付作業性がよいのは言うまでもない。
【００１１】
また、第１スライド部材と第２スライド部材とは、短冊状の板形態をなし、スライド部材支持部の支持面に並設状態で、相手側と対向するそれぞれの長辺側部とは反対側の長辺側部に、第１スライド部には外枠用フック部が、また、第２スライド部材には前面扉用フック部が面内方向で突出する形で形成される構成とすることができる。
【００１２】
これによれば、スライド部材支持部の支持面に対して、互いのフック部が干渉することなく、コンパクトかつ合理的に第１及び第２スライド部材を並設させることができる。なお、第１及び第２スライド部材のスライド移動方向は、長辺側部に平行となる。また、外枠用フック部及び前面扉用フック部は第１及び第２スライド部材において面内方向に突出する形で形成されているので、薄型化に寄与する。また、各フック部がスライド部材にそれぞれ一体的に形成されているので、部品点数を減らすことができる。
【００１３】
また、第１スライド部材と第２スライド部材とは、外枠用フック部又は前面扉用フック部が形成された反対側の長辺側部を折り返し形成することができる。すなわち、スライド部材支持部の支持面に支持された第１スライド部材及び第２スライド部材における相手側と近接（対向）する長辺側部に折り返し部を形成することができる。これによれば、第１及び第２スライド部材がお互いに相手側に乗り上げるなどの心配が解消されるとともにガイド壁となり、スライド移動を円滑に行うことができる。また、折り返し形成しているので、スライド部材自身の強度を増すことができ、無理な応力が働いても屈曲し難くなる。
【００１４】
遊技機用施錠装置において、第１スライド部材の外枠用フック部が係合する方向（外枠用フック部が外枠に係合して内枠の施錠状態を保持する方向）に該第１スライド部材をスライド移動させる第１付勢ばねと、第２スライド部材の前面扉用フック部が係合する方向（前面扉用フック部が前面扉に係合して前面扉の施錠状態を保持する方向）に該第２スライド部材をスライド移動させる第２付勢ばねとが、それぞれ一端が各スライド部材に、他端がスライド部材支持部の支持面に固定されるように設けることができる。
【００１５】
通常、ベースプレート（支持体）は、横断面Ｌ字状（例えば固定板及び側板）をなすように折り曲げ形成されており、その側板に付勢ばねの一端が固定されている。しかしながら、上記構成によれば、第１及び第２付勢ばねは、一端を各スライド部材に、他端をスライド部材支持部の支持面に固定しているので、ベースプレートを横断面Ｌ字状に形成する必要がなく、一層の薄型化を可能とする。
【００１６】
そして、ベースプレートには、スライド部材支持部の側縁から、第１及び第２スライド部材の厚みよりも高く立ち上がる側壁部を形成することができる。また、ベースプレートには、スライド部材支持部の側縁から、第１及び第２スライド部材の厚み、並びに第１及び第２付勢ばねの高さ（例えば、コイルばねの直径）よりも高く立ち上がる側壁部を形成することがより望ましい。
【００１７】
これによれば、側壁部がスライド部材支持部の側縁から立ち上がることで、ベースプレートが第１及び第２スライド部材並びに第１及び第２付勢ばねを収容する形態となり、可動するこれらの部材を簡単な構造でかつ効果的に保護することができる。そして、第１及び第２スライド部材は、側壁部と相手側の折り返し部とによってそれぞれ挟まれてスライド移動がガイドされるので、スライド移動が安定化される。また、側壁部が形成されているので、ベースプレート自身の強度を増すことができ、無理な応力が働いても屈曲し難くなる。
【００１８】
ここで、遊技機は、その外形をなす枠状の外枠と、その外枠に開閉可能に支持されるとともに、前面側に遊技盤、背面側に制御基板を備えた内枠と、その内枠の前面側に開閉可能に支持されるとともに、遊技盤を視認するためのガラス板を備えた前面扉とを含み構成されている。したがって、内枠には制御基板が搭載されていることもあり、例えば内枠と外枠との間に生じた隙間に異物を差し込んで、外枠に対して内枠を施錠する第１スライド部材を不正にスライド移動させて内枠を無理に開けようとする不正行為がなされる恐れがあり、このような不正開放を防止するために遊技機用施錠装置には不正防止機能を具備する必要がある。
【００１９】
そこで、遊技機用施錠装置における第１スライド部材には、外枠に係合して内枠の施錠状態を形成する位置において、シリンダ錠を介さずにその施錠状態を解除する方向へ強制的にスライド移動させるための外力が加えられたとき、第１スライド部材が該施錠状態を解除しないようにシリンダ錠のカムに当接してその第１スライド部材のスライド移動を阻止する阻止部を形成する構成とすることができる。
【００２０】
これによれば、第１スライド部材にシリンダ錠を介さずにその施錠状態を解除する方向へ強制的にスライド移動させるための外力が加えられたとしても、阻止部がシリンダ錠のカムに当接することとなり、物理的に第１スライド部材のスライド移動を阻止することができる。ひいては、第１スライド部材がシリンダ錠を介さずにはスライド移動しないので、外枠に対する内枠の施錠を解除することができず、無理（不正）に内枠を開けることができない。
【００２１】
また、第１スライド部材と同様に、第２スライド部材においてもスライド移動を阻止する阻止部を形成することができる。これによれば、第２スライド部材にシリンダ錠を介さずにその施錠状態を解除する方向へ強制的にスライド移動させるための外力が加えられたとしても、阻止部がシリンダ錠のカムに当接することとなり、物理的に第２スライド部材のスライド移動を阻止することができる。ひいては、第２スライド部材がシリンダ錠を介さずにはスライド移動しないので、内枠に対する前面扉の施錠を解除することができず、無理に前面扉を開けることができない。
【００２２】
上記課題を解決するために、本発明の遊技機は、
以上のような遊技機用施錠装置が、第１及び第２スライド部材が内枠の厚み方向に並設するように内枠の開放側端部に取り付けられていることを特徴とする。
【００２３】
これによれば、第１及び第２スライド部材が内枠の厚み方向に並設するように遊技機用施錠装置が内枠の開放側端部に取り付けられているので、遊技機の幅方向に対して遊技機用施錠装置が薄型化された配置となり、パチンコ機の内部構造の配置スペースや遊技盤を大きく形成することが可能な遊技機を実現することができる。
【発明の効果】
【００２４】
本発明によれば、簡単な構造で遊技機用施錠装置を薄型化することができるとともに、その薄型化された遊技機用施錠装置を搭載することで、遊技機の内部構造の配置スペースや遊技盤を大きく形成することができる。
【発明を実施するための最良の形態】
【００２５】
以下、本発明の実施形態を図面を参照して説明する。図１は本発明の実施形態に係る遊技機の一例を示す正面図、図２は図１の遊技機における内枠及び前面扉が開状態の後方斜視図、図３は本発明の実施形態に係る遊技機用施錠装置の一例の通常状態を示す側面図及び斜視図、図４は図３の遊技機用施錠装置の拡大底面図及びＡ−Ａ断面拡大図である。
【００２６】
図１及び図２に示すように、パチンコ機（遊技機）１は、そのパチンコ機１の外形をなす枠状の外枠２と、その外枠２に対してヒンジ機構１０によって前面側に開閉可能な内枠３と、その内枠３に対してヒンジ機構１０によって前面側に開閉可能な前面扉４と、内枠３の開放側端部３ａ（ヒンジ機構１０とは反対側の側端部）に取り付けられる施錠装置（遊技機用施錠装置）５とを備えている。
【００２７】
外枠２には、内枠３の下側に位置するように幕板２１が形成されるとともに、施錠装置５が係合する係合受け部２２（本実施例においては２つ）が形成されている。また、前面扉４には、内枠３に支持された後述する遊技盤１１を覆うためのガラス板４１が取り付けられるとともに、裏面側に施錠装置５が係合保持する係合部４２（本実施例においては３つ）が形成されている。これにより、施錠装置５は、外枠２に係合して内枠３を施錠するとともに、その内枠３に対して前面扉４を係合保持して施錠することとなる。
【００２８】
内枠３には、図１に示すように、パチンコ機１の遊技盤１１が支持されている。この遊技盤１１の前面１１ａには、ガイドレール１２によってほぼ左半周が区画された遊技領域１１ｂが形成されている。そして、この遊技領域１１ｂの中央には液晶画面等を含む可変表示装置１３が配置されており、その下方に始動入賞口１４及び大入賞口１５が配置されている。また、大入賞口１５の下方にはアウト口１６が配置され、可変表示装置１３の左右には通過ゲート１７や風車１８等が設けられている。なお、遊技盤１１の右下方には、ガイドレール１２を通り遊技領域１１ｂへ遊技球を発射するための発射ハンドル１９が配置されており、その発射ハンドル１９の上方に施錠装置５のシリンダ錠８０が露出するように形成されている。
【００２９】
また、内枠３の裏面側には、具体的には図示しないが賞球を貯留する貯留タンクやタンクレール、賞球払出装置並びに各種制御基板（例えば可変表示装置１３の画像処理制御基板、パチンコ機１の主制御基板、賞球払出装置の払出制御基板、発射装置の発射制御基板、電源基板）などを備える構造体３０が支持されている（図２参照）。
【００３０】
次に、施錠装置５について詳しく説明する。図３及び図４に示すように、施錠装置５は、係合受け部２２（外枠２）に係合する第１スライド部材５０と、係合部４２（前面扉４）に係合する第２スライド部材６０と、それら第１及び第２スライド部材５０，６０をスライド移動可能に支持する支持壁（スライド部材支持部）７１を有するとともに、内枠３に固定配置されるベースプレート７０と、第１及び第２スライド部材５０，６０をスライド移動させるためのシリンダ錠８０とを備えている。そして、施錠装置５は、第１及び第２スライド部材５０，６０が、ベースプレート７０の支持壁７１における支持面７１ａに対して並設されるように形成されている。これにより、施錠装置５は、各スライド部材が重なり合わないので、それらの厚み分はもとより、構造を簡素化して薄型化することが可能となる。
【００３１】
そして、図２に示すように、パチンコ機１は、施錠装置５が第１及び第２スライド部材が内枠３の厚み方向に並設するように内枠３の開放側端部３ａに取り付けられるので、施錠装置５が内枠３（パチンコ機１）の幅方向（左右方向）に対して薄型化された配置となり、内枠３に支持される遊技盤１１や構造体３０の配置スペースを大きく形成することができ、配置の自由度が増す。なお、シリンダ錠８０は、ベースプレート７０におけるシリンダ錠取付部７２に固定配置されている（図３参照）。
【００３２】
図３及び図４に戻り、第１スライド部材５０は、短冊状の板形態をなすスライド本体部５１と、そのスライド本体部５１の長辺側部５１ａ，５１ｂの片側（例えば長辺側部５１ａ）に面内方向で突出形成された外枠用フック部５２とを含み構成されている。なお、第１スライド部材５０は、スライド本体部５１の長辺側部５１ａ，５１ｂに沿ってスライド移動（往復移動）するように設けられ、外枠用フック部５２が、外枠２の係合受け部２２に係合して外枠２に対して内枠３を施錠する（図２参照）。
【００３３】
また、第１スライド部材５０は、スライド本体部５１において外枠用フック部５２とは反対側の長辺側部５１ｂが折り返し形成された折り返し部５３と（図４参照）、シリンダ錠８０の操作によってカム８２が作用する被作用部５４と（図３（ｂ），図４（ａ）参照）、外枠用フック部５２が係合する方向（外枠２の係合受け部２２に係合して内枠３の施錠状態を保持する方向；図中上方向）に第１スライド部材５０をスライド移動させる第１付勢ばねＳ１の一端部を掛止（固定）する掛止部５５と、不正行為による第１スライド部材５０のスライド移動（図中下方向）を阻止する阻止部５６と、スライド本体部５１において厚み方向に貫通し、スライド移動をガイドするために長手方向に延びる複数の長孔５７とを備えている。
【００３４】
なお、第１付勢ばねＳ１は、一端が第１スライド部材５０の掛止部５５に、他端がベースプレート７０の支持壁７１の掛止部７４に固定されている。また、第１スライド部材５０は、長孔５７にピン５８が挿通され、そのピン５８がベースプレート７０の支持壁７１にかしめ固定されており、このピン５８及び長孔５７を介してスライド移動可能に支持される。
【００３５】
第２スライド部材６０は、第１スライド部材５０と同様に、スライド本体部６１（長辺側部６１ａ，６１ｂ）、前面扉用フック部６２、折り返し部６３、被作用部６４、掛止部６５、及び長孔６７を備えている。なお、本実施例においては、不正行為によるスライド移動を阻止する阻止部を形成していないもので例示しているが、第１スライド部材５０と同様に形成してもよい。その場合には、同様の効果を得ることができる。
【００３６】
ここで、第１及び第２スライド部材５０，６０は、図３（ａ）に示すように、並設状態で、相手側とは反対側の長辺側部５１ａ，６１ａに外枠用フック部５２と前面扉用フック部６２とが位置するようにベースプレート７０の支持壁７１における支持面７１ａに支持されている。
【００３７】
次に、ベースプレート７０は、図４（ａ）に示すように、底面視（平面視）コ字形状をなし、上記のように第１及び第２スライド部材５０，６０を支持する支持壁７１を有し、その支持壁７１の側縁から第１及び第２スライド部材５０，６０の厚みよりも高く、また、第１及び第２付勢ばねＳ１，Ｓ２の高さ（例えば、コイル部分の直径）よりも立ち上がる側壁部７３が形成されている（図４参照）。なお、側壁部７３は、外枠用フック部５２及び前面扉用フック部６２のスライド移動領域を阻害しないように形成されている。見方を変えれば、側壁部７３に外枠用フック部５２及び前面扉用フック部６２が当接することで、スライド移動範囲を規定している。そして、シリンダ錠取付部７２は、第２スライド部材６０側の側壁部７３と一体的に形成されている。
【００３８】
なお、第１及び第２スライド部材５０，６０及びベースプレート７０における相互関係では、第１スライド部材５０のスライド本体部５１は、第２スライド部材６０の折り返し部６３と、ベースプレート７０の側壁部７３とに挟まれた形態となっている。また、第２スライド部材６０のスライド本体部６１は、第１スライド部材５０の折り返し部５３と、ベースプレート７０の側壁部７３とに挟まれた形態となっている。これによれば、それぞれの折り返し部５３，６３及び側壁部７３がガイド壁となり、第１及び第２スライド部材５０，６０それぞれが互いに円滑なスライド移動が可能となる。
【００３９】
続いて、シリンダ錠８０は、図３（ｂ）及び図４（ａ）に示すように、シリンダ部８１とカム８２とを備えており、カム８２には、被作用部５４に当接して第１スライド部材５０をスライド移動させる第１爪部８２ａと、被作用部６４に当接して第２スライド部材６０をスライド移動させる第２爪部８２ｂとが形成されている。なお、第１爪部８２ａ及び第１爪部８２ｂは、カム８２の外周縁部の所定場所からシリンダ部８１の軸線方向に沿って第１及び第２スライド部材５０，６０に対応する位置まで立ち上がって折り曲げられる形で形成されている。
【００４０】
次に、以上のような構成を有する施錠装置５の作動を説明する。図５は通常状態を示す図３（ｂ）を一部省略した拡大図、図６は第１スライド部材の作動状態を示す図５に対応する拡大図、図７は第２スライド部材の作動状態を示す図５に対応する拡大図である。
【００４１】
まず、通常状態において施錠装置５は、図５に示すように、第１スライド部材５０は第１付勢ばねＳ１により、また第２スライド部材６０は第２付勢ばねＳ２によって図中矢印方向に引っ張られ（付勢され）、外枠用フック部５２及び前面扉用フック部６２が側壁部７３に当接する位置、あるいは長孔５７，６７の端部がピン５８，６８に当接する位置で保持されている。なお、図示しないが、この位置（状態）の外枠用フック部５２及び前面扉用フック部６２に対応して、外枠２、内枠３及び前面扉４が施錠状態となるように、外枠２の係合受け部２２及び前面扉４の係合部４２が配置されることとなる。また、シリンダ錠８０のカム８２の第１爪部８２ａと第１スライド部材５０の被作用部５４とは、当接していてもよいし、離間した状態でもよい。
【００４２】
通常状態から図６に示すように、シリンダ錠８０のシリンダ部８１における図示しない内筒を矢印Ｐ方向に回転させると、カム８２の第１爪部８２ａが第１スライド部材５０の被作用部５４に当接し、第１付勢ばねＳ１の付勢力に抗して図中矢印方向に第１スライド部材５０をスライド移動させる。これにより、外枠用フック部５２の係合受け部２２（図２，図３（ａ）参照）への係合が解除される。そして、内枠３が外枠２に対して開放可能（施錠解除状態）となる。なお、このとき、カム８２の第２爪部８２ｂは第２スライド部材６０の被作用部６４とは反対方向に回転するため、通常状態のまま施錠状態で保持される。
【００４３】
一方、通常状態から図７に示すように、シリンダ錠８０のシリンダ部８１を矢印Ｑ方向に回転させると、カム８２の第２爪部８２ｂが第２スライド部材６０の被作用部６４に当接し、第２付勢ばねＳ２の付勢力に抗して図中矢印方向に第２スライド部材６０をスライド移動させる。これにより、前面扉用フック部６２の係合部４２（図２，図３（ａ）参照）への係合が解除される。そして、前面扉４が内枠３に対して開放可能（施錠解除状態）となる。なお、このとき、カム８２の第１爪部８２ａは第１スライド部材５０の被作用部５４とは反対方向に回転するため、通常状態のまま施錠状態で保持される。なお、第１スライド部材５０には阻止部５６が形成されているが、第１爪部８２ａの回転軌跡からはずれた位置に設けられている。
【００４４】
図５に戻り、通常状態において、シリンダ錠８０を介さずにその施錠状態を解除する方向（第１付勢ばねＳ１の付勢力に抗する方向）へ強制的にスライド移動させるための外力が加えられると、シリンダ錠８０を介していない（回転させていない）のでカム８２の第１爪部８２ａはそのまま被作用部５４に対応していた状態で保持されており、阻止部５６が少しスライド移動するとこの第１爪部８２ａ（カム８２）に当接して、第１スライド部材５０が施錠状態を解除しないようにスライド移動を阻止することができる。すなわち、阻止部５６のスライド移動距離よりも、外枠用フック部５２のフックの大きさを大きくすればよい。
【００４５】
なお、本発明では遊技機の一例としてパチンコ機について説明したが、他に例えばアレンジボール機、パチスロ機、雀球機等の施錠装置が設けられる他の遊技機に適用することができる。また、第１及び第２スライド部材５０，６０の施錠するスライド移動方向を反転させてもよい。
【図面の簡単な説明】
【００４６】
【図１】本発明の実施形態に係る遊技機の一例を示す正面図。
【図２】図１の遊技機における内枠及び前面扉が開状態の後方斜視図。
【図３】本発明の実施形態に係る遊技機用施錠装置の一例の通常状態を示す側面図及び斜視図。
【図４】図３の遊技機用施錠装置の拡大底面図及びＡ−Ａ断面拡大図。
【図５】通常状態を示す図３（ｂ）を一部省略した拡大図。
【図６】第１スライド部材の作動状態を示す図５に対応する拡大図。
【図７】第２スライド部材の作動状態を示す図５に対応する拡大図。
【符号の説明】
【００４７】
１  パチンコ機（遊技機）
２  外枠
３  内枠
３ａ  開放側端部
４  前面扉
５  施錠装置（遊技機用施錠装置）
１０  ヒンジ機構
１１  遊技盤
２２  係合受け部
４１  ガラス板
４２  係合部
５０  第１スライド部材
５１  スライド本体部
５２  外枠用フック部
５３  折り返し部
５４  被作用部
５５  掛止部
５６  阻止部
５７  長孔
５８，６８  ピン
６０  第２スライド部材
６１  スライド本体部
６２  前面扉用フック部
６３  折り返し部
６４  被作用部
６５  掛止部
６７  長孔
７０  ベースプレート
７１  支持壁（スライド部材支持部）
７１ａ  支持面
７２  シリンダ錠取付部
７３  側壁部
７４  掛止部
８０  シリンダ錠
８１  シリンダ部
８２  カム
８２ａ  第１爪部
８２ｂ  第２爪部
【図１】
2009131514.tif 000003
【図２】
2009131514.tif 000004
【図３】
2009131514.tif 000005
【図４】
2009131514.tif 000006
【図５】
2009131514.tif 000007
【図６】
2009131514.tif 000008
【図７】
2009131514.tif 000009